(57)【特許請求の範囲】
【請求項１】
無線受信機回路（１０）を動作させる方法であり、前記無線受信機回路（１０）がアナログ／デジタル変換器（５０）及び前記無線受信機回路（１０）の受信パスにおいて前記アナログ／デジタル変換器（５０）の入力端子に動作可能に接続されたフィルタ（６０）を含むアナログ／デジタル変換ユニット（４０）を備える方法であって、
制御データを受信するステップと、
次の時間間隔中にデータが前記無線受信機回路（１０）に送信される際の周波数帯域を前記制御データに基づいて判定するステップと、
前記次の時間間隔において送信された前記データを受信するために、前記アナログ／デジタル変換ユニット（４０）の少なくとも１つの周波数特性を前記判定された周波数帯域に適応させるステップとを有し、
前記無線受信機回路（１０）は、直交周波数分割多重（ＯＦＤＭ）通信チャネルを介してデータを受信するように構成され、前記制御データは連続したＯＦＤＭシンボルのシーケンスの１つ以上の初期ＯＦＤＭシンボルに含まれ、前記次の時間間隔は前記１つ以上の初期ＯＦＤＭシンボルに後続する前記連続したＯＦＤＭシンボルのシーケンスの前記ＯＦＤＭシンボルのうちの１つに対応する時間間隔であり、データが前記無線受信機回路（１０）に送信される際の前記周波数帯域は前記ＯＦＤＭシンボル内の周波数帯域であることを特徴とする方法。
【請求項２】
前記制御データを受信するステップは、
前記アナログ／デジタル変換ユニット（４０）の前記少なくとも１つの周波数特性を、ＯＦＤＭシンボル全体を範囲に含む周波数帯域でデータを受信し易くするデフォルト設定に設定するステップを含み、
前記アナログ／デジタル変換（４０）の前記少なくとも１つの周波数特性を前記判定された周波数帯域に適応させるステップは、
前記アナログ／デジタル変換ユニット（４０）の前記少なくとも１つの周波数特性を、前記デフォルト設定と比較して前記無線受信機回路（１０）の低減された電力損失で前記判定された周波数帯域でデータを受信し易くする設定に設定するステップを含むことを特徴とする請求項１記載の方法。
【請求項３】
前記アナログ／デジタル変換器（５０）は量子化雑音整形アナログ／デジタル変換器であり、前記アナログ／デジタル変換ユニット（４０）の少なくとも１つの周波数特性を前記判定された周波数帯域に適応させるステップは、前記量子化雑音整形アナログ／デジタル変換器の雑音伝達関数を前記判定された周波数帯域に適応させるステップを含むことを特徴とする請求項１または２に記載の方法。
【請求項４】
前記量子化雑音整形アナログ／デジタル変換器の前記雑音伝達関数を前記判定された周波数帯域に適応させるステップは、前記雑音伝達関数のゼロが実質的に前記判定された周波数帯域の中心に現れるように前記雑音伝達関数を適応させるステップを含むことを特徴とする請求項３記載の方法。
【請求項５】
前記量子化雑音整形アナログ／デジタル変換器の前記雑音伝達関数を前記判定された周波数帯域に適応させるステップは、前記判定された周波数帯域にわたる量子化雑音の総量が実質的に最小限にされるように前記雑音伝達関数を適応させるステップを含むことを特徴とする請求項３又は４記載の方法。
【請求項６】
前記アナログ／デジタル変換ユニット（４０）の少なくとも１つの周波数特性を前記判定された周波数帯域に適応させるステップは、前記フィルタ（６０）の周波数応答を前記判定された周波数帯域に適応させるステップを含むことを特徴とする請求項１から５のいずれか１項に記載の方法。
【請求項７】
前記フィルタ（６０）の前記周波数応答を前記判定された周波数帯域に適応させるステップは、前記フィルタ（６０）の帯域幅を前記判定された周波数帯域に適応させるステップを含むことを特徴とする請求項６記載の方法。
【請求項８】
前記フィルタ（６０）の前記周波数応答を前記判定された周波数帯域に適応させるステップは、前記フィルタのフィルタ次数を前記判定された周波数帯域に適応させるステップを含むことを特徴とする請求項７記載の方法。
【請求項９】
コンピュータ機能を有する電子デバイスにより実行されるときに請求項１から８のいずれか１項に記載の方法を実行するコンピュータプログラムコード手段を含むことを特徴とするコンピュータプログラム。
【請求項１０】
コンピュータ機能を有する電子デバイスにより実行されるときに請求項１から８のいずれか１項に記載の方法を実行するコンピュータプログラムコード手段を含むコンピュータプログラムを格納したことを特徴とするコンピュータ可読媒体。
【請求項１１】
無線受信機回路（１０）であって、
アナログ／デジタル変換器（５０）と、
前記無線受信機回路の受信パスにおいて前記アナログ／デジタル変換器（５０）の入力端子に動作可能に接続されたフィルタ（６０）とを含むアナログ／デジタル変換ユニット（４０）と、
制御データを受信し、次の時間間隔中にデータが前記無線受信機回路（１０）に送信される際の周波数帯域を前記制御データに基づいて判定し、前記次の時間間隔において送信された前記データを受信するために、前記アナログ／デジタル変換ユニット（４０）の少なくとも１つの周波数特性を前記判定された周波数帯域に適応させるように構成された制御ユニット（７０）とを備え、
前記無線受信機回路（１０）は直交周波数分割多重（ＯＦＤＭ）通信チャネルを介してデータを受信するように構成され、前記制御データは連続したＯＦＤＭシンボルのシーケンスの１つ以上の初期ＯＦＤＭシンボルに含まれ、前記次の時間間隔は前記１つ以上の初期ＯＦＤＭシンボルに後続する前記連続したＯＦＤＭシンボルのシーケンスの前記ＯＦＤＭシンボルのうちの１つに対応する時間間隔であり、データが前記無線受信機回路（１０）に送信される際の前記周波数帯域は前記ＯＦＤＭシンボル内の周波数帯域であることを特徴とする無線受信機回路（１０）。
【請求項１２】
前記制御ユニット（７０）は、
前記制御データを受信するために前記アナログ／デジタル変換ユニット（４０）の前記少なくとも１つの周波数特性を、ＯＦＤＭシンボル全体を範囲に含む周波数帯域でデータを受信し易くするデフォルト設定に設定し、
前記アナログ／デジタル変換ユニット（４０）の前記少なくとも１つの周波数特性を、前記デフォルト設定と比較して前記無線受信機回路（１０）の低減された電力損失で前記判定された周波数帯域でデータを受信し易くする設定に設定することにより、前記アナログ／デジタル変換（４０）の前記少なくとも１つの周波数特性を前記判定された周波数帯域に適応させるように構成されることを特徴とする請求項１１記載の無線受信機回路（１０）。
【請求項１３】
前記アナログ／デジタル変換器（５０）は量子化雑音整形アナログ／デジタル変換器であり、前記アナログ／デジタル変換ユニット（４０）の前記少なくとも１つの周波数特性の１つは前記量子化雑音整形アナログ／デジタル変換器の雑音伝達関数であることを特徴とする請求項１１または１２に記載の無線受信機回路（１０）。
【請求項１４】
前記制御ユニット（７０）は、前記雑音伝達関数のゼロが実質的に前記判定された周波数帯域の中心に現れるように前記量子化雑音整形ＡＤＣの前記雑音伝達関数を前記判定された周波数帯域に適応させるように構成されることを特徴とする請求項１３記載の無線受信機回路（１０）。
【請求項１５】
前記制御ユニット（７０）は、前記判定された周波数帯域にわたる量子化雑音の総量が実質的に最小限にされるように、前記量子化雑音整形アナログ／デジタル変換器の前記雑音伝達関数を前記判定された周波数帯域に適応させるように構成されることを特徴とする請求項１３又は１４記載の無線受信機回路（１０）。
【請求項１６】
前記アナログ／デジタル変換ユニット（４０）の前記少なくとも１つの周波数特性の１つは、前記フィルタ（６０）の周波数応答であることを特徴とする請求項１１から１５のいずれか１項に記載の無線受信機回路（１０）。
【請求項１７】
前記制御ユニット（７０）は、前記フィルタ（６０）の帯域幅を前記判定された周波数帯域に適応させるように構成されることを特徴とする請求項１６記載の無線受信機回路（１０）。
【請求項１８】
前記制御ユニット（７０）は、前記フィルタ（６０）のフィルタ次数を前記判定された周波数帯域に適応させるように構成されることを特徴とする請求項１７記載の無線受信機回路（１０）。
【請求項１９】
請求項１１から１８のいずれか１項に記載の無線受信機回路（１０）を備えたことを特徴とする電子装置（１）。
【請求項２０】
前記電子装置は、携帯無線通信機器、移動無線端末、移動電話、通信機、電子オーガナイザ、スマートフォン又はコンピュータであることを特徴とする請求項１９記載の電子装置（１）。
【発明の詳細な説明】
【技術分野】
【０００１】
本発明は、無線受信機回路及び無線受信機回路を動作させる方法に関する。
【背景技術】
【０００２】
益々上昇するデータ転送速度での無線通信を容易にするために、移動通信に対する種々の新しい規格及びシステムが登場している。このセルラシステムの一例は３Ｇ ＬＴＥ（3G Long Term Evolution）である。３Ｇ ＬＴＥシステムは、１．２５ＭＨｚ〜２０ＭＨｚの範囲の無線周波数（ＲＦ）チャネル帯域幅で動作してもよい。更に、最大の帯域幅に対して最高１００Ｍｂ／ｓのデータ転送速度がサポートされてもよい。
【０００３】
移動電話等の移動無線端末において、一般にエネルギーリソースがバッテリ容量により制限されるため、電力消費は相対的に低いことが望ましい。しかし、ＬＴＥにおいて最高データ転送速度等の相対的に高いデータ転送速度でのデータの受信をサポートするために、一般に移動無線端末の無線受信機回路において相対的に高い電力消費が必要とされる。例えば移動無線端末において過度に迅速なバッテリの消費を回避するために、無線受信機回路における電力損失を低減する必要がある。
【０００４】
電力損失を低減する１つの方法が米国特許第７，２９５，６４５号公報において与えられる。これは、無線ローカルエリアネットワーク（ＷＬＡＮ）において使用されてもよい拡張可能なアナログ／デジタル変換分解能及びダイナミックレンジを有するトランシーバを開示する。受信モードにおいて、すなわちトランシーバがデータを受信している時、ＡＤＣは高精度モードで動作可能である。探索モードにおいて、すなわちトランシーバが関心信号を走査するために探索している時、アナログ／デジタル変換器（ＡＤＣ）は低電力モードで動作可能であり、これにより電力が節約される。しかし、無線受信機回路における電力損失を更に減少させる必要がある。
【発明の概要】
【発明が解決しようとする課題】
【０００５】
従って、本発明の目的は、無線受信機回路における電力損失の低減を促進することである。
【課題を解決するための手段】
【０００６】
第１の態様によると、無線受信機回路を動作させる方法が提供される。無線受信機回路は、アナログ／デジタル変換器（ＡＤＣ）及び無線受信機回路の受信パスにおいてＡＤＣの入力端子に動作可能に接続されたフィルタを含むアナログ／デジタル変換ユニットを備える。方法によると、制御データが受信される。更に方法によると、次の時間間隔中にデータが無線受信機回路に送信される際の周波数帯域が受信した制御データに基づいて判定される。また、アナログ／デジタル変換ユニットの少なくとも１つの周波数特性は、次の時間間隔において送信された前記データを受信するために判定された周波数帯域に適応される。
【０００７】
無線受信機回路は、直交周波数分割多重（ＯＦＤＭ）通信チャネルを介してデータを受信するように構成されてもよい。制御データは、連続したＯＦＤＭシンボルのシーケンスの１つ以上の初期ＯＦＤＭシンボルに含まれてもよい。次の時間間隔は、前記１つ以上の初期ＯＦＤＭシンボルに後続する連続したＯＦＤＭシンボルのシーケンスの１つのＯＦＤＭシンボルに対応する時間間隔であってもよい。データが無線受信機回路に送信される際の周波数帯域はＯＦＤＭシンボル内の周波数帯域であってもよい。そのようなＯＦＤＭの例において、制御データを受信することは、アナログ／デジタル変換ユニットの少なくとも１つの周波数特性をＯＦＤＭシンボル全体を範囲に含む周波数帯域でデータを受信し易くするデフォルト設定に設定することを含んでもよい。更に、アナログ／デジタル変換の少なくとも１つの周波数特性を判定された周波数帯域に適応させることは、アナログ／デジタル変換ユニットの少なくとも１つの周波数特性をデフォルト設定と比較して無線受信機回路の低減された電力損失で判定された周波数帯域でデータを受信し易くする設定に設定することを含んでもよい。
【０００８】
ＡＤＣは、量子化雑音整形ＡＤＣであってもよい。アナログ／デジタル変換ユニットの少なくとも１つの周波数特性を判定された周波数帯域に適応させることは、量子化雑音整形ＡＤＣの雑音伝達関数（ＮＴＦ）を判定された周波数帯域に適応させることを含んでもよい。量子化雑音整形ＡＤＣの雑音伝達関数を判定された周波数帯域に適応させることは、雑音伝達関数のゼロが実質的に判定された周波数帯域の中心に現れるように雑音伝達関数を適応させることを含んでもよい。更に又はその代わりに、量子化雑音整形ＡＤＣの雑音伝達関数を判定された周波数帯域に適応させることは、判定された周波数帯域にわたる量子化雑音の総量が実質的に最小限にされるように雑音伝達関数を適応させることを含んでもよい。
【０００９】
アナログ／デジタル変換ユニットの少なくとも１つの周波数特性を判定された周波数帯域に適応させることは、フィルタの周波数応答を判定された周波数帯域に適応させることを含んでもよい。フィルタの周波数応答を判定された周波数帯域に適応させることは、フィルタの帯域幅を判定された周波数帯域に適応させることを含んでもよい。更に、フィルタの周波数応答を判定された周波数帯域に適応させることは、フィルタのフィルタ次数を判定された周波数帯域に適応させることを含んでもよい。
【００１０】
第２の態様によると、コンピュータプログラムは、コンピュータ機能を有する電子デバイスにより実行される時に第１の態様に係る方法を実行するコンピュータプログラムコード手段を含む。
【００１１】
第３の態様によると、コンピュータ可読媒体は、コンピュータ機能を有する電子デバイスにより実行される時に第１の態様に係る方法を実行するコンピュータプログラムコード手段を含むコンピュータプログラムを格納している。
【００１２】
第４の態様によると、無線受信機回路が提供される。無線受信機回路は、アナログ／デジタル変換ユニットを含む。アナログ／デジタル変換ユニットは、ＡＤＣと、無線受信機回路の受信パスにおいてＡＤＣの入力端子に動作可能に接続されたフィルタとを含む。更に、無線受信機回路は、制御データを受信し且つ次の時間間隔中にデータが無線受信機回路に送信される際の周波数帯域を制御データに基づいて判定するように構成された制御ユニットを含む。また、制御ユニットは、次の時間間隔において送信された前記データを受信するために、アナログ／デジタル変換ユニットの少なくとも１つの周波数特性を判定された周波数帯域に適応させるように構成される。
【００１３】
無線受信機回路は、ＯＦＤＭ通信チャネルを介してデータを受信するように構成されてもよい。制御データは、連続したＯＦＤＭシンボルのシーケンスの１つ以上の初期ＯＦＤＭシンボルに含まれてもよい。次の時間間隔は、前記１つ以上の初期ＯＦＤＭシンボルに後続する連続したＯＦＤＭシンボルのシーケンスの１つのＯＦＤＭシンボルに対応する時間間隔であってもよい。データが無線受信機回路に送信される際の周波数帯域は、ＯＦＤＭシンボル内の周波数帯域であってもよい。そのようなＯＦＤＭの例において、制御ユニットは、制御データを受信するためにアナログ／デジタル変換ユニットの少なくとも１つの周波数特性をＯＦＤＭシンボル全体を範囲に含む周波数帯域でデータを受信し易くするデフォルト設定に設定するように構成されてもよい。更に制御ユニットは、アナログ／デジタル変換ユニットの少なくとも１つの周波数特性をデフォルト設定と比較して無線受信機回路の低減された電力損失で判定された周波数帯域でデータを受信し易くする設定に設定することにより、アナログ／デジタル変換の少なくとも１つの周波数特性を判定された周波数帯域に適応させるように構成されてもよい。
【００１４】
ＡＤＣは、量子化雑音整形ＡＤＣであってもよく、アナログ／デジタル変換ユニットの少なくとも１つの周波数特性の１つは、量子化雑音整形ＡＤＣの雑音伝達関数であってもよい。制御ユニットは、雑音伝達関数のゼロが実質的に判定された周波数帯域の中心に現れるように量子化雑音整形ＡＤＣの雑音伝達関数を判定された周波数帯域に適応させるように構成されてもよい。更に又はその代わりに、制御ユニットは、判定された周波数帯域にわたる量子化雑音の総量が実質的に最小限にされるように、量子化雑音整形ＡＤＣの雑音伝達関数を判定された周波数帯域に適応させるように構成されてもよい。
【００１５】
アナログ／デジタル変換ユニットの少なくとも１つの周波数特性の１つは、フィルタの周波数応答であってもよい。制御ユニットは、フィルタの帯域幅を判定された周波数帯域に適応させるように構成されてもよい。更に制御ユニットは、フィルタのフィルタ次数を判定された周波数帯域に適応させるように構成されてもよい。
【００１６】
第５の態様によると、電子装置は、第４の態様に係る無線受信機回路を備える。電子装置は、携帯無線通信機器、移動無線端末、移動電話、通信機、電子オーガナイザ、スマートフォン又はコンピュータのうちのいずれであってもよいが、それらに限定されない。
【００１７】
無線受信機回路が通信チャネルの現在の利用に動的に適応され（信号帯域幅及び／又はビットレートに関して）、これにより電力損失が低減され易くなることは、本発明の実施形態の利点である。
【００１８】
本発明の更なる実施形態は、添付の請求の範囲において規定される。
【００１９】
本明細書で使用される場合の「具備する」という用語は、記載される特徴、整数、ステップ又は構成要素の存在を特定するために使用され、１つ以上の他の特徴、整数、ステップ、構成要素又はそれらの集合の存在又は追加を除外しない。
【００２０】
本発明の実施形態の更なる目的、特徴及び利点は、添付の図面を参照して以下の詳細な説明を読むことにより明らかとなるだろう。
【図面の簡単な説明】
【００２１】
【図１】図１は、基地局と通信中である移動電話を概略的に示す図である。
【図２】図２は、ＬＴＥ通信例における信号送信タイミングを概略的に示す図である。
【図３】図３は、本発明の一実施形態に係る無線受信機回路を示すブロック図である。
【図４】図４は、本発明の一実施形態に係る２次デルタ−シグマＡＤＣを示す信号線図である。
【図５ａ】、
【図５ｂ】図５ａ及び図５ｂは、図４のデルタ−シグマＡＤＣの種々の構成に対する雑音伝達関数を示すグラフである。
【図６】図６は、本発明の一実施形態に係るフィルタを示すブロック図である。
【図７ａ】、
【図７ｂ】、
【図７ｃ】図７ａ〜図７ｃは、図６のフィルタの種々の構成に対する振幅応答を示すグラフである。
【図８】、
【図９】図８及び図９は、本発明の実施形態に係る方法を示すフローチャートである。
【発明を実施するための形態】
【００２２】
図１は、本発明の実施形態が採用可能な環境を示す。無線通信機能を有する電子装置１は、無線信号を介して基地局（ＢＳ）２と通信するように構成される。図１において、電子装置１は移動電話として図示される。しかし、これは単なる一例であり、本発明の範囲を限定することを意図しない。例えば電子装置１は、携帯無線通信機器、移動無線端末、通信機、すなわち電子オーガナイザ又はスマートフォン等、あるいは例えばラップトップであるパーソナルコンピュータ（ＰＣ）であってもよいが、これらに限定されない。
【００２３】
電子装置１は、例えば１種類以上の通信システムにおける無線通信に適応されてもよい。通信システムは、例えばＧＳＭ（汎ヨーロッパデジタル移動通信システム）、ＵＭＴＳ（ユニバーサル移動通信システム）及び３Ｇ ＬＴＥ（Long Term Evolution）通信システムのうちの１つ以上であるがこれらに限定されず、可能性として１つ以上のシステムは、例えばIMT（International Mobile Telecommunication）-Advancedに準拠する将来の規格に従って動作する。
【００２４】
更に、単一の基地局２は図１に示されるように使用される。しかし、これは単なる一例である。電子装置１は、同一の種類の通信システム又は種々の通信システム内で動作する複数の基地局に動作可能に接続されるように構成されてもよい。例えば電子装置１は、基地局間のいわゆるソフトハンドオーバ（ＳＨＯ）を容易にするために複数の基地局に動作可能に接続されてもよい。
【００２５】
本明細書において、無線信号を介して基地局２等の基地局と通信するように構成される電子装置１等の電子装置は移動端末（ＭＴ）と呼ばれる。本発明の実施形態を理解し易くするために、３Ｇ ＬＴＥは本明細書中で一例として使用される。この後の本明細書において、３Ｇ ＬＴＥは単にＬＴＥと呼ばれる。ＬＴＥにおいて、信号は基地局から移動端末へのダウンリンクにおいてＯＦＤＭＡ（直交周波数分割多元接続）と呼ばれる多元接続技術のＯＦＤＭ（直交周波数分割多重）を使用して送信される。ＬＴＥが一例として使用されるが、本発明の実施形態は他の種類の通信システムにおいても採用されてもよい。限定しない一例として、本発明の実施形態は他の種類のＯＦＤＭシステムにおいて採用されてもよい。他の種類のＯＦＤＭシステムは、例えば種々のＩＥＥＥ８０２．１１規格に従う無線ローカルエリアネットワーク（ＷＬＡＮ）システム及び種々のＩＥＥＥ８０２．１６規格に従うＷｉｍａｘシステムであるが、これらに限定されない。
【００２６】
図２は、ＬＴＥシステムにおけるダウンリンクチャネルに対する信号タイミングの一例を示す。図２に示す例によると、下りデータはフレームで送信される。ここで、各フレームは１０ｍｓの期間を有する。更に各フレームは、各々が１ｍｓの期間を有する１０個のサブフレームＳ０〜Ｓ９に分割される。各サブフレームは、各々が０．５ｍｓの期間を有する２つのスロットに分割される。１つのサブフレームＳ６を図２に更に詳細に示す。図２に示すサブフレームＳ６の図は、他のサブフレームＳ０〜Ｓ５及びＳ７〜Ｓ９にも有効である。各サブフレームＳ０〜Ｓ９において、１２個又は１４個のＯＦＤＭシンボルはダウンリンクで送信される。シンボル数は、各ＯＦＤＭシンボルのサイクリックプレフィックスの長さに依存する。図２において、各サブフレームＳ０〜Ｓ９のＯＦＤＭシンボル数は１４である。各サブフレームＳ０〜Ｓ９は、多くのリソースブロック（ＲＢ）に分割される。各リソースブロックは、多くのリソース要素（ＲＥ）を含み、これらは、図２のサブフレームＳ６の更に詳細な図において正方形（各正方形は図中符号ＲＥで示される）で表される。各リソース要素は、各サブフレームＳ０〜Ｓ９における固有のＯＦＤＭシンボルの固有のサブキャリアに対応する。従って、図２のリソース要素の各列は単一のＯＦＤＭシンボルに対応する。図２において、各ＯＦＤＭシンボルに対して８つのリソース要素のみが示される。しかし、図２の点線で示すように、各ＯＦＤＭシンボルは、８つを上回るリソース要素を含んでもよい。
【００２７】
各リソースブロックは、周波数領域の複数の隣接するサブキャリア及び時間領域の複数の連続するＯＦＤＭシンボル時間間隔を範囲に含む。ＬＴＥの場合の一般的な数としては、リソースブロックが周波数領域の１２個のサブキャリア及び時間領域の１つのスロット（すなわち、サイクリックプレフィックスの長さに依存して６つ又は７つのＯＦＤＭシンボルに対応する）を範囲に含み、従って７２個又は８４個のリソース要素から構成される。リソースブロックにより範囲に含まれた周波数帯域がリソースブロックにより範囲に含まれた各ＯＦＤＭシンボル時間間隔に対して同一である（すなわち、リソースブロックが図２の時間／周波数グリッドにおいて複数のリソース要素の矩形を構成する）ことがＬＴＥの場合に提案されるが、本発明のいくつかの実施形態は、リソースブロックが種々のＯＦＤＭシンボル時間間隔に対する種々の周波数帯域を範囲に含む状況、すなわちリソースブロックの周波数の場所がＯＦＤＭシンボル間で変動する可能性がある状況においても適用可能である。後者の例を含む更に一般的な考察は、リソースブロックが連続したＯＦＤＭシンボルの空でない集合の各ＯＦＤＭシンボルに対して隣接するサブキャリアの空でない集合を規定することである。
【００２８】
リソースブロックは、基地局と通信中である複数の移動端末のうち特定の移動端末に割り当てられてもよい。従って、種々のデータは、種々の移動端末に割り当てられた種々のリソースブロックに属するサブキャリアで基地局から同一のＯＦＤＭシンボルを有する種々の移動端末に送信されてもよく、これにより複数チャネルアクセスが提供される。
【００２９】
各サブフレームＳ０〜Ｓ９の最初の１つ、２つ、又は３つのＯＦＤＭシンボルにおいて、制御データは基地局から基地局と通信中である移動端末にダウンリンクで送信される。制御データは、各サブフレームＳ０〜Ｓ９のどのリソースブロックがどの移動端末に割り当てられるかに関する情報を含む。制御データを復号化することにより、各移動端末は、各ＯＦＤＭシンボルに対してその特定の移動端末に送信されたデータを搬送するサブキャリアを判定してもよい。
【００３０】
図３は、本発明の一実施形態に係る無線受信機回路１０を示すブロック図である。無線受信機回路１０は、例えば移動端末に含まれてもよい。図３に示すように、無線受信機回路１０は、無線周波数（ＲＦ）信号を受信するためにアンテナ３０に動作可能に接続されるように構成されたダウンコンバートユニット２０を含んでもよい。図３に示すように、アンテナ３０は無線受信機回路１０に含まれない。更に、単一のアンテナ３０を図３に示すが、複数のアンテナが使用されてもよく、例えば多入力多出力（ＭＩＭＯ）又は同様の構成で配置されてもよい。
【００３１】
ダウンコンバートユニット２０は、受信したＲＦ信号をベースバンド又は中間周波数（ＩＦ）帯域等のより低い周波数帯域にダウンコンバートし、受信信号の更なる処理及び復調を容易にするように構成される。ダウンコンバートユニット２０は、例えば従来技術において既知の方法に従ってダウンコンバートを実行するために１つ以上の低雑音増幅器（ＬＮＡ）、フィルタ、ミキサ及び局部発振器等の少なくともいずれかを含んでもよい。この詳細な説明において以下に提示される実施形態及び例において、ダウンコンバートユニット２０は、受信したＲＦ信号をベースバンドにダウンコンバートするように構成される。
【００３２】
更に無線受信機回路は、ダウンコンバートされた信号をデジタル表現に変換するためのアナログ／デジタル変換ユニット４０を含む。アナログ／デジタル変換ユニット４０からの出力信号は、例えば受信データを復調及び回復するために、例えばデジタルベースバンド回路（ＤＢＢ、不図示）において更なる処理が行われてもよい。いくつかの実施形態によると、デジタルベースバンド回路は無線受信機回路に完全に又は部分的に含まれてもよい。他の実施形態によると、デジタルベースバンド回路は無線受信機回路の外部であってもよい。
【００３３】
アナログ／デジタル変換ユニット４０は、アナログ／デジタル変換器（ＡＤＣ）５０を含む。更に、アナログ／デジタル変換ユニット４０はフィルタ６０を含む。フィルタ６０は、無線受信機回路１０の受信パスにおいてＡＤＣ５０の入力端子に動作可能に接続される。フィルタ６０が図３においてＡＤＣ５０の入力端子に直接接続されるように示されるが、例えば更なるフィルタ、可変利得増幅器（ＶＧＡ）及びバッファ増幅器の少なくともいずれかであるがこれらに限定されない中間素子がフィルタ６０とＡＤＣ５０との間のパスに存在してもよい。
【００３４】
更に、無線受信機回路１０は制御ユニット７０を含む。制御ユニット７０は、制御データを受信するように構成される。また、制御ユニット７０は、データが次の時間間隔中に無線受信機回路１０に送信される際の周波数帯域を制御データに基づいて判定するように構成される。更に制御ユニット７０は、前記次の時間間隔において無線受信機回路に送信された前記データを受信するためにアナログ／デジタル変換ユニット４０の少なくとも１つの周波数特性を判定した周波数帯域に適応させるように構成される。これにより、特定の実施形態において明らかになるように、例えば無線受信機回路１０のアナログ／デジタル変換ユニット４０に対応するアナログ／デジタル変換ユニットが例えば最高データ転送速度及び最大帯域幅又はそのいずれかに対して、すなわち「最悪な場合」に対して静的に構成される無線受信機回路と比較して、電力損失が低減され易くなる。無線受信機回路１０は、ＯＦＤＭ通信チャネルを介してデータを受信するように構成されてもよい。ＯＦＤＭ通信チャネルは、例えばＬＴＥ通信チャネルであってもよいが、これに限定されない。制御データは、連続したＯＦＤＭシンボルのシーケンスの１つ以上の初期ＯＦＤＭシンボルに含まれてもよい。例えば上記のＬＴＥの例において、制御ユニット７０は、各サブフレームＳ０〜Ｓ９の第１のＯＦＤＭシンボルに含まれた制御データを受信するように構成されてもよい。制御ユニット７０が制御データに基づいて判定する周波数帯域は、ＯＦＤＭシンボル内の周波数帯域であってもよい。データが判定された周波数帯域で無線受信機回路１０に送信される前記次の時間間隔は、前記１つ以上の初期ＯＦＤＭシンボルに後続する連続したＯＦＤＭシンボルのシーケンスの１つのＯＦＤＭシンボルに対応する時間間隔であってもよい。例えば上記のＬＴＥの例において、制御ユニット７０は、無線受信機回路１０が含まれる移動端末に割り当てられた１つ以上のリソースブロックの周波数帯域を判定するように構成されてもよい。前記次の時間間隔は、前記１つ以上のリソースブロックのリソース要素が含まれる特定のＯＦＤＭシンボルが移動端末に送信される時間間隔であってもよい。
【００３５】
例えばＬＴＥにおいて、各サブフレームＳ０〜Ｓ９の各スロットのいかなる数（ゼロを含む）のリソースブロックが特定の移動端末に割り当てられてもよい。上述したように、本発明の実施形態は、リソースブロックにより範囲に含まれた周波数帯域がリソースブロックにより範囲に含まれた各ＯＦＤＭシンボル時間間隔に対して同一である場合、並びにリソースブロックが種々のＯＦＤＭシンボル時間間隔に対して種々の周波数帯域を範囲に含む場合、すなわちリソースブロックの周波数の場所がＯＦＤＭシンボル間で変動する可能性がある場合の双方において適用可能であってもよい。後者の場合、特定の移動端末に割り当てられる各サブフレームＳ０〜Ｓ９の特定のＯＦＤＭシンボルのリソース要素（すなわち、特定の移動端末に割り当てられたリソースブロックに属するリソース要素）は、特定の移動端末に割り当てられる同一のサブフレームの別のＯＦＤＭシンボルのリソース要素とは異なる周波数帯域（例えば、帯域幅及び／又は中心周波数に関して）を占有してもよい。更にリソースブロックにより範囲に含まれた周波数帯域がリソースブロックにより範囲に含まれた各ＯＦＤＭシンボル時間間隔に対して同一である場合、各サブフレームＳ０〜Ｓ９の第１のスロットの間に特定の移動端末に割り当てられたリソースブロックにより専有された周波数帯域は、同一のサブフレームＳ０〜Ｓ９の第２のスロットの間に特定の移動端末に割り当てられたリソースブロックにより占有された周波数帯域とは異なってもよい。従って、特定の移動端末に割り当てられたリソース要素の数及び特定の移動端末に割り当てられたリソース要素と関連付けられたサブキャリアの場所又はそのいずれかが、各サブフレームＳ０〜Ｓ９の種々のＯＦＤＭシンボルに対して異なってもよい。制御ユニット７０は、制御データに基づいて複数の周波数帯域を判定するように構成されてもよい。ここで、複数の周波数帯域の各々は、データが関連付けられた周波数帯域で無線受信機回路１０に送信される固有の次の時間間隔（例えば、ＬＴＥの固有のＯＦＤＭシンボル）と関連付けられる。そのような次の時間間隔毎に、制御ユニット７０は、アナログ／デジタル変換ユニット４０の少なくとも１つの周波数特性を対応する判定された周波数帯域に適応させるように構成されてもよい。従って、種々の時間間隔における種々の周波数帯域へのいくつかの適応は、同一の制御データに基づいて行われてもよい。
【００３６】
無線受信機回路がＯＦＤＭ通信チャネルを介してデータを受信するように構成されるいくつかの実施形態によると、制御ユニット７０は、制御データを受信するために、アナログ／デジタル変換ユニット４０の少なくとも１つの周波数特性を、ＯＦＤＭシンボル全体を範囲に含む周波数帯域におけるデータを受信し易くするデフォルト設定に設定するように構成される。例えばＬＴＥにおいて、ＯＦＤＭシンボルの帯域幅全体は、各サブフレームＳ０〜Ｓ９の第１のＯＦＤＭシンボルの間に制御データを送信するために利用されてもよい。従って、制御データを適切に受信及び復号化するために、無線受信機回路１０は、各サブフレームＳ０〜Ｓ９の第１のＯＦＤＭシンボルに対してＯＦＤＭシンボル全体を受信できる必要があるだろう。更に制御ユニット７０は、アナログ／デジタル変換ユニット４０の少なくとも１つの周波数特性をデフォルト設定と比較して無線受信機回路１０の低減された電力損失で判定された周波数帯域でデータを受信し易くする設定に設定することにより、アナログ／デジタル変換ユニット４０の少なくとも１つの周波数特性を判定された周波数帯域に適応させるように構成されてもよい。そのような設定の例は、特定の実施形態において提示される。
【００３７】
制御データが含まれる第１のＯＦＤＭシンボルを受信した後、制御ユニット７０は、制御データを復号化する追加の時間を必要としてもよい。従って、デフォルト設定は、制御データが復号化される前に、制御データが含まれる第１のＯＦＤＭシンボルに後続するいくつかのＯＦＤＭシンボルを受信するために使用される必要があるだろう。制御データを復号化すると、制御ユニット７０は、制御データに基づいてアナログ／デジタル変換ユニット４０の少なくとも１つの周波数特性を適応させられる。ＬＴＥにおいて、一般に制御ユニット７０は、少なくとも各サブフレームＳ０〜Ｓ９の第１のスロットの終了までに制御データの復号化を完了できる。従って、一般に、制御ユニット７０は少なくとも各サブフレームＳ０〜Ｓ９の第２のスロットの間に制御データに基づいてアナログ／デジタル変換ユニット４０の少なくとも１つの周波数特性を適応させられる。
【００３８】
いくつかの実施形態によると、ＡＤＣ５０は、デルタ−シグマＡＤＣ等の量子化雑音整形ＡＤＣとして実現される。制御ユニット７０が判定された周波数帯域に適応させる少なくとも１つの周波数特性の１つは、量子化雑音整形ＡＤＣの雑音伝達関数（ＮＴＦ）であってもよい。
【００３９】
図４は、本発明の一実施形態に係る２次デルタ−シグマＡＤＣを示す信号線図である。図４に示す構造は、一般に「分散型フィードバックを有する積分器のカスケード」、すなわちＣＩＦＢと呼ばれる。ＣＩＦＢ構造が本明細書において一例として使用されるが、他のデルタ−シグマＡＤＣトポロジが採用されてもよい。図４の信号線図は、６個の乗算要素１００ａ〜１００ｆ、３つの追加の要素１１０ａ〜１１０ｃ、２つの離散時間積分器すなわち累算器１２０ａ及び１２０ｂ、並びに量子化器１３０を含む。図４に示す信号線図は、例えばスイッチトキャパシタ回路により実現されてもよい。
【００４０】
積分器１２０ａ及び１２０ｂが離散時間積分器である離散時間ループフィルタを有するデルタ−シグマＡＤＣが例において図４を参照して考慮されるが、いくつかの実施形態において、デルタ−シグマＡＤＣは、積分器１２０ａ及び１２０ｂが連続時間積分器である連続時間ループフィルタを有してもよい。
【００４１】
デルタ−シグマＡＤＣへのアナログ入力サンプルは、図４においてラベル「入力」で信号線図に入る。量子化器１３０は、追加の要素１１０ｃの出力と閾値レベルとを比較し、１ビット信号を出力する。１ビット信号は、追加の要素の出力が閾値レベル以上である場合に「１」であり、それ以外の場合に「０」である。従って、量子化器１３０は、追加の要素からの出力を１ビット信号に量子化する。本明細書において１ビット量子化器が一例として使用されるが、複数ビット量子化器が採用されてもよい。一般に１ビット量子化器は、相対的に大量の量子化雑音を結果として与える。しかし、因子ａ１、ａ２及びｇ１を適切に選択することにより、量子化雑音は、関心信号周波数帯域において相対的に少量の量子化雑音電力が存在するように整形され、その一方で、相対的に大量の量子化雑音が前記関心信号周波数帯域外に現れる。量子化雑音のパワースペクトル密度は、デルタ−シグマＡＤＣの雑音伝達関数により判定される。雑音伝達関数は、デルタ−シグマＡＤＣ及び雑音伝達関数の次数を判定する極の集合により判定される。一般に、これらの極は、潜在的な不安定性の犠牲を払って量子化雑音の帯域内レベルを制御するためにある程度積極的に設計される。極に加えて、雑音伝達関数はゼロを含んでもよく、周波数におけるそれらの位置は雑音伝達関数における極小値を規定する。ゼロの導入は、量子化雑音の全体のレベルを最小限にしないが、量子化雑音電力を再分配する。従って、１つ以上のゼロは、他の周波数範囲に対する雑音が増加するという犠牲を払って１つ又はいくつかの周波数範囲にわたり量子化雑音を最小限にするために導入される。一般に、効率的な雑音整形を容易にするために、相対的に高いオーバーサンプリング比（ＯＳＲ）が使用される。デルタ−シグマＡＤＣは従来技術において既知であるため、本明細書において詳細に説明しない。
【００４２】
以下において、制御ユニット７０がデルタ−シグマＡＤＣの雑音伝達関数を適応させる方法を示すために、図４の信号線図を参照していくつかの例を提示する。例において、以下のパラメータ値が図４の乗算要素１００ａ〜１００ｅに対して使用される。すなわち、a1 = 1；a2 = 2；b1 = 1；及びb2 = b3 = 0である。
【００４３】
図４の乗算要素１００ｆのパラメータg1は、以下の式に従ってゼロの周波数位置を制御するために選択されてもよい。
【００４４】
fz = (√g1/2π)fs
式中、ｆｚはゼロの周波数位置であり、ｆｓはデルタ−シグマＡＤＣのサンプリング周波数を示す。図５ａにおいて、雑音伝達関数の振幅関数がg1の種々の値に対してグラフ化される。g1 = 0.0064に対する振幅関数は１５０ａでラベル付けされ、g1 = 0.0128に対する振幅関数は１５０ｂでラベル付けされ、g1 = 0.0256に対する振幅関数は１５０ｃでラベル付けされる。ゼロの位置が低いほど低周波数の雑音伝達関数の振幅は低いことが図５ａのグラフから明らかである。無線受信機回路１０に送信された信号が通信チャネルの最大信号帯域幅を利用しない場合、制御ユニット７０は実際に使用された周波数帯域における量子化雑音量を低減するようにゼロの位置を制御してもよい。この信号帯域における量子化雑音の低減により、無線受信機回路１０において電力損失を低減し易くできる。例えばデルタ−シグマＡＤＣの信号電流が低下されてもよい。信号電流が低下された時に電圧振幅を維持するために、デルタ−シグマＡＤＣのアナログ回路網におけるインピーダンスレベルが増加されてもよい。その結果、デルタ−シグマＡＤＣ（例えば、積分器、増幅器、フィードバックデジタル／アナログ変換器（ＤＡＣ）等）の種々の回路網により消費される直流電流を低減し易くなる。電圧振幅が上述したように低下された信号電流を補償することにより一定に保持されると仮定すると、熱雑音によるＳＮＲはデルタ−シグマＡＤＣの電流消費にほぼ比例する。限定しない例として、熱雑音電力が量子化雑音電力の低減により２倍になってもよい場合、電流消費（及び従って電流損失）は半分になる。また、ある程度の量子化雑音電力の低下がデルタ−シグマＡＤＣのサンプリング周波数を低減するために更に又は代わりに利用されてもよく、それにより動的な電力損失の低減が容易になる。従って、デルタ−シグマＡＤＣの雑音伝達関数を適切に適応させることにより、電力損失の低減は無線受信機回路１０において容易になる。信号帯域内の量子化雑音電力の低減は、例えば達成可能なデータ転送速度に関して性能を向上するために利用されてもよい。電力損失の低減と性能の向上との間で妥協がされてもよい。すなわち、信号帯域内の量子化雑音の低減は、電力損失を部分的に低減するため及び性能を部分的に向上するために利用されてもよい。妥協は、例えば現在使用中のサービスのビットレートに関する要求に基づいてもよい。より低いビットレートが要求される場合、量子化雑音電力の低減は、より高いビットレートが要求される場合より大きく電力損失を低減するために利用される。
【００４５】
乗算要素１００ａ〜１００ｅに対して図５ａの例と同一のパラメータ値を利用するＬＴＥにおける信号受信に関連する特定の一例を図５ｂを参照して以下に提示する。この例において、２０ＭＨｚのＲＦチャネル帯域幅が使用される。ダウンリンクのＯＦＤＭシンボルのベースバンド信号帯域幅全体は９ＭＨｚであり、１つのリソースブロックにより割り当てられた帯域幅は１８０ｋＨｚである。この例において、デルタ−シグマＡＤＣのサンプリング周波数ｆｓは、３１２ＭＨｚに設定される。サブフレームの第１のＯＦＤＭシンボル、すなわち制御データを含むＯＦＤＭシンボルの場合、９ＭＨｚの信号帯域幅にわたる合計の量子化雑音電力を最小限にするために雑音伝達関数のゼロが設定される。この例において、これは、ゼロの周波数を５．６２ＭＨｚに設定することにより達成される。このゼロの位置付けに対する雑音伝達関数の振幅関数を１６０ａでラベル付けして図５ｂに示す。この帯域幅内の量子化雑音電力は、最大０．５ｆｓに積分された全体の量子化雑音に対して−６０ｄＢになる。この例において、制御データは、無線受信機回路１０が含まれる移動端末に対して単一のリソースブロックが割り当てられることを示す。割り当てられたリソースブロックの中心周波数は２ＭＨｚである。割り当てられたリソースブロックを受信し易くするために、制御ユニット７０は、雑音伝達関数のゼロの周波数を２ＭＨｚに設定することによりデルタ−シグマＡＤＣの雑音伝達関数を適応させる。このゼロの位置付けに対する雑音伝達関数の結果として得られる振幅関数を１６０ｂでラベル付けして図５ｂにグラフ化する。雑音伝達関数の傾斜が割り当てられたリソースブロックの中心周波数２ＭＨｚ周辺に現れることが観察される。２ＭＨｚを中心とした１８０ｋＨｚの広周波数帯域内の量子化雑音電力は、最大０．５ｆｓまで積分された総量子化雑音に対して−１１８ｄＢである。この１８０ｋＨｚの広周波数帯域にわたる平均化されたパワースペクトル密度（ＰＳＤ）は約−１７１ｄＢ／Ｈｚである。これは、ゼロの周波数の場所が５．６２ＭＨｚに設定される配置と比較される。この配置の場合、９ＭＨｚの信号帯域幅全体にわたる平均化されたパワースペクトル密度は約−１３０ｄＢ／Ｈｚである。従って、単一の割り当てられたリソースブロックの場合、９ＭＨｚ信号帯域幅全体にわたる総量子化雑音を最小限にするのではなく、リソースブロックの周波数帯域の中心に雑音伝達関数のゼロを位置付けることにより量子化雑音密度を４０ｄＢ程度低減する可能性がある。しかし、例えば熱雑音である量子化以外の雑音源は、達成可能な全体の改善を４０ｄＢ未満に制限する可能性がある。しかし、多くの例において、少なくとも１０〜１５ｄＢの改善が予想するのに適切である。
【００４６】
上記例により示すように、制御ユニット７０は、雑音伝達関数のゼロが判定された周波数帯域の中心に実質的に現れるように、デルタ−シグマＡＤＣの雑音伝達関数を、判定された周波数帯域に適応させるように構成されてもよい。これは、例えば判定された周波数帯域が相対的に狭く且つゼロの周波数の周辺に現れる雑音伝達関数の「傾斜」内に広く適合する場合に有用であってもよい。
【００４７】
制御ユニット７０は、判定された周波数帯域にわたる量子化雑音の総量が最小限にされるか又は実質的に最小限にされるように、デルタ−シグマＡＤＣの雑音伝達関数を、判定された周波数帯域に適応させるように構成されてもよい。上述したように、判定された周波数帯域が相対的に狭い場合、このことは、雑音伝達関数のゼロを、判定された周波数帯域の中心に実質的に位置付けることにより達成されてもよい。しかし、より広い周波数帯域の場合、判定された周波数帯域の中心にゼロを実質的に位置付けることは次善の解決策だろう。
【００４８】
デルタ−シグマＡＤＣに対する適切なパラメータ設定は、ルックアップテーブル（ＬＵＴ、不図示）に格納されてもよい。ＬＵＴは、例えば判定された周波数帯域の帯域幅及び中心周波数、あるいは判定された周波数帯域を示すか又は判定された周波数帯域から導出された他のパラメータによりアドレス指定されてもよい。制御ユニット７０は、ＬＵＴから適切なパラメータ設定を検索し且つ検索されたパラメータ値を利用してデルタ−シグマＡＤＣの雑音伝達関数を適応させるように構成されてもよい。ＬＵＴに格納される適切なパラメータ値は、例えばコンピュータシミュレーションにより判定されてもよい。
【００４９】
いくつかの実施形態によると、制御ユニット７０が判定された周波数帯域に適応させるアナログ／デジタル変換ユニット４０の少なくとも１つの周波数特性の１つは、フィルタ６０の周波数応答である。例えば制御ユニット７０は、フィルタ６０の帯域幅を判定された周波数帯域に適応させるように構成されてもよい。例えば９ＭＨｚのベースバンド信号帯域幅全体を使用する（すなわち、ベースバンドのＯＦＤＭシンボルの帯域幅全体が９ＭＨｚである）ＬＴＥの例を考慮する。デフォルト設定において、フィルタ６０は、第１のＯＦＤＭシンボルに含まれた制御データを受信し易くするために９ＭＨｚの帯域幅を有するように設定されてもよい。次の時間間隔中に無線受信機回路１０に送信されるデータが最大９ＭＨｚまでの全ての周波数を利用しないことを制御データが示す場合、フィルタ６０の帯域幅はデフォルト設定と比較して縮小されてもよい。フィルタ帯域幅を縮小することにより、フィルタにおける電力損失が低減されてもよい。例えばフィルタ６０がＧｍ−Ｃフィルタとして実現される場合、フィルタ６０の帯域幅は、フィルタ６０の１つ以上のトランスコンダクタの相互コンダクタンス（ｇｍ）を減少することにより縮小される。トランスコンダクタのｇｍは、一般にトランスコンダクタの直流バイアス電流を低減することにより減少されてもよく、それにより電力損失が低減されてもよい。制御ユニット７０は、フィルタ６０のフィルタ次数を判定された周波数帯域に適応させるように更に構成されてもよい。例えば上記のＬＴＥの例を参照すると、次の時間間隔中に無線受信機回路１０に送信されるデータが最大９ＭＨｚまでの全ての周波数を利用しないことを制御データが示す場合、図６及び図７ａ〜図７ｃを参照して説明するように、フィルタ６０の次数はデフォルト設定と比較して減少されてもよい。フィルタ次数の減少により、フィルタ６０の１つ以上の有効な要素（例えば、動作可能な増幅器、動作可能な相互コンダクタンス増幅器及びトランスコンダクタ、または少なくともそのいずれか）が無効にされるか又は電源を切られてもよく、これにより電力損失がデフォルト設定と比較して低減されてもよい。
【００５０】
図６は、本発明の一実施形態に係るフィルタ６０を示すブロック図である。本実施形態によると、フィルタ６０は、カスケード接続された多数のローパス（ＬＰ）フィルタセクション２００ａ〜２００ｄを含む。各ＬＰフィルタセクション２００ａ〜２００ｄはどんなフィルタ次数を有してもよい。しかし、図６を参照して以下に説明する例において、ＬＰフィルタセクション２００ｂ〜２００ｄは２次フィルタセクション（例えば、双２次フィルタセクション）であり、ＬＰフィルタセクション２００ａが１次フィルタセクションであると仮定する。ＬＰフィルタセクション２００ａは、例えばパッシブＲＣリンクとして実現されてもよく、これにより相対的に少量の電力（例えば、アクティブ１次フィルタセクションと比較して）を損失する。ＬＰフィルタセクション２００ｂ〜２００ｄの各々は、アクティブフィルタセクションとして、例えばＧｍ−Ｃ又はアクティブＲＣフィルタセクションとして実現されてもよい。
【００５１】
更に、図６の実施形態によると、フィルタ６０は、多数のセレクタデバイス又はスイッチ２１０ａ〜２１０ｃを含む。セレクタデバイス２１０ａを閉じ且つセレクタデバイス２１０ｂ及び２１０ｃを開いておくことにより、制御ユニット６０はフィルタ６０の出力信号としてフィルタセクション２００ｂの出力信号を選択してもよく、これにより３次フィルタが得られる。更にセレクタデバイス２１０ｂを閉じ且つセレクタデバイス２１０ａ及び２１０ｃを開いておくことにより、制御ユニット６０はフィルタ６０の出力信号としてフィルタセクション２００ｃの出力信号を選択してもよく、これにより５次フィルタが得られる。また、セレクタデバイス２１０ｃを閉じ且つセレクタデバイス２１０ａ及び２１０ｂを開いておくことにより制御ユニット６０はフィルタ６０の出力信号としてフィルタセクション２００ｄの出力信号を選択してもよく、これにより７次フィルタが得られる。セレクタデバイス２１０ａ〜２１０ｃによりフィルタ次数を選択することに加えて、制御ユニット７０は、例えば個々の極及びゼロの場所又はそのいずれかに関してＬＰフィルタセクション２００ａ〜２００ｄのうちの１つ以上の周波数応答を制御するように構成されてもよい。ＬＰフィルタセクション２００ａ〜２００ｄは、例えばパッシブ構成要素を含んでもよく、制御ユニット７０から制御可能である値を有する。例えば制御可能なキャパシタンス値を有するキャパシタは、複数のキャパシタにより実現されてもよく、それらは制御ユニット７０から制御可能なスイッチにより選択的に並列に接続される。従って、フィルタ６０の次数だけでなくフィルタ６０の個々の極及びゼロの場所又はそのいずれかも制御ユニット６０から制御可能であり、フィルタに関する種々の要求に対してフィルタ６０を適応させ易くする。フィルタセクションの１つ以上のパッシブ構成要素のパラメータを制御することに基づいてフィルタセクションの応答を調整することは従来技術において既知であるため、本明細書において更に詳細に説明しない。
【００５２】
図７ａ〜図７ｃは、例示するために使用される例に従って図６のフィルタの種々の配置に対する振幅応答を示す。図７ａ〜図７ｃにおいて、図７ａ〜図７ｃの全てに対して同一である選択的マスク３００を示す。選択的マスク３００は、フィルタ６０の最小減衰量に関する要求を示し、これは隣接する周波数チャネルにおいて信号を適切に減衰するために選択される。図７ａ〜図７ｃに示した例に対する選択的マスク３００は、１８ＭＨｚの無線周波数（ＲＦ）信号帯域幅及び９ＭＨｚの対応するベースバンド信号帯域幅（すなわち、ベースバンドにおけるＯＦＤＭシンボル全体の帯域幅）を有するＬＴＥシステムに適切であるように選択された。
【００５３】
図７ａは、９ＭＨｚの信号帯域幅全体が使用される例を示す。ボックス３１０ａは、可能な最大減衰量を示す。例えば、通過帯域（すなわち、０〜９ＭＨｚの周波数範囲）内の可能な最大減衰量は２．５ｄＢに設定された。フィルタに関する要求を満たすために、フィルタ６０の振幅応答は、ボックス３１０ａと選択的マスク３００との間であるべきである。この例に対するフィルタに関する要求は７次チェビシェフＩ型フィルタにより満たされると判断された。実際には、６次チェビシェフＩ型フィルタで十分である。しかし、図６に示したフィルタ６０の実施形態が３次、５次又は７次フィルタとして構成されるため、７次フィルタが選択される。上述したように、ＬＰフィルタセクション２００ａがパッシブＲＣリンクにより実現される場合、１次ＬＰフィルタセクション２００ａの追加が電力損失に関して相対的に低コストで行われる。従って、６次フィルタの代わりに７次フィルタを選択する追加のコストは一般に僅かである。これらのフィルタに関する要求を満たす７次チェビシェフＩ型フィルタの振幅応答を３２０ａでラベル付けし、図７ａでグラフ化する。フィルタ６０によりこの振幅応答を実現するため、制御ユニット７０は、７次フィルタを得るためにセレクタデバイス２１０ｃを閉じ且つセレクタデバイス２１０ａ及び２１０ｂを開いておく。更に、制御ユニット７０は、所望の周波数応答が得られるように、フィルタ６０の個々の極及びゼロの場所又はそのいずれかを制御する。図７ａに示したフィルタ６０の周波数応答は、フィルタ６０のデフォルト設定の周波数応答であってもよい。
【００５４】
図７ｂは、９ＭＨｚの信号帯域幅全体の９０％（すなわち、８．１ＭＨｚの帯域幅）のみが使用される例を示す。ボックス３１０ｂは、可能な最大減衰量を示す。図７ａに示す例に関しては、通過帯域（すなわち、０〜８．１ＭＨｚの周波数範囲）内の可能な最大減衰量は２．５ｄＢに設定された。フィルタに関する要求を満たすために、フィルタ６０の振幅応答は、ボックス３１０ｂと選択的マスク３００との間であるべきである。この例に対するフィルタに関する要求は５次チェビシェフＩ型フィルタにより満たされると判断された。これらのフィルタに関する要求を満たす５次チェビシェフＩ型フィルタの振幅応答を３２０ｂでラベル付けし、図７ｂでグラフ化する。フィルタ６０によりこの振幅応答を実現するため、制御ユニット７０は、５次フィルタを得るためにセレクタデバイス２１０ｂを閉じ且つセレクタデバイス２１０ａ及び２１０ｃを開いておく。更に制御ユニット７０は、所望の周波数応答が得られるように、フィルタ６０の個々の極及びゼロの場所又はそのいずれかを制御する。ＬＰフィルタセクション２００ｄからの出力信号がこの配置において使用されないため、ＬＰフィルタセクション２００ｄは無効にされるか又は電源が切られる。１次近似としてＬＰフィルタセクション２００ｂ〜２００ｄの各々がフィルタ６０の電力損失全体の約１／３?３３％に寄与すると仮定すると、フィルタ６０の周波数応答を判定された周波数帯域に適応させることにより、図７ａに示す例と比較してフィルタ６０における電力損失は約３３％低減される。実際には、フィルタ６０における達成可能な電力損失の低減は３３％未満である可能性がある。例えば、ＬＰフィルタセクション２００ｂ〜２００ｄ以外のフィルタ６０の構成要素は、フィルタ６０の電力損失全体の重要な部分に寄与してもよく、これにより、フィルタ６０の電力損失全体に対するフィルタセクション２００ｄの寄与は３３％未満になる。更に、ＬＰフィルタセクション２００ｄの電源を再度投入する時に起こる遷移が大きすぎるために信号を劣化させる可能性があるため、ＬＰフィルタセクション２００ｄの電源を完全に切ることは不可能である可能性がある。従って、ＬＰフィルタセクション２００ｄは低電力モードに設定される必要がある。低電力モードにおいて、ＬＰフィルタセクション２００ｄの有効な要素は、ＬＰフィルタセクション２００ｄの電源が再度投入された時に有害な遷移を回避するために小さいがゼロではない待機電流を消費する。
【００５５】
図７ｃは、９ＭＨｚの信号帯域幅全体の５０％（すなわち、４．５ＭＨｚの帯域幅）のみが使用される例を示す。ボックス３１０ｃは、可能な最大減衰量を示す。図７ａ及び図７ｂに示す例に関しては、通過帯域（すなわち、０〜４．５ＭＨｚの周波数範囲）内の可能な最大減衰量は２．５ｄＢに設定された。フィルタに関する要求を満たすために、フィルタ６０の振幅応答は、ボックス３１０ｃと選択的マスク３００との間であるべきである。この例に対するフィルタに関する要求は３次チェビシェフＩ型フィルタにより満たされると判断された。これらのフィルタに関する要求を満たす３次チェビシェフＩ型フィルタの振幅応答を３２０ｃでラベル付けし、図７ｃでグラフ化する。フィルタ６０によりこの振幅応答を実現するため、制御ユニット７０は、３次フィルタを得るためにセレクタデバイス２１０ａを閉じ且つセレクタデバイス２１０ｂ及び２１０ｃを開いておく。更に制御ユニット７０は、所望の周波数応答が得られるように、フィルタ６０の個々の極及びゼロの場所又はそのいずれかを制御する。ＬＰフィルタセクション２００ｃ及び２００ｄからの出力信号がこの配置において使用されないため、ＬＰフィルタセクション２００ｃ及び２００ｄは無効にされるか又は電源が切られる。ここでも、１次近似としてＬＰフィルタセクション２００ｂ〜２００ｄの各々がフィルタ６０の電力損失全体の約１／３?３３％に寄与すると仮定すると、フィルタ６０の周波数応答を判定された周波数帯域に適応させることにより、図７ａに示す例と比較してフィルタ６０における電力損失は約２／３?６７％低減される。実際には、例えば図７ｂにおいて説明した理由のために、フィルタ６０における達成可能な電力損失の低減は６７％未満である可能性がある。
【００５６】
フィルタ６０に対する適切なパラメータ設定は、ルックアップテーブル（ＬＵＴ、不図示）に格納されてもよい。ＬＵＴは、例えば判定された周波数帯域の最大周波数である判定された周波数帯域を示すか又は判定された周波数帯域から導出された１つ以上のパラメータ、あるいは例えば判定された周波数帯域の帯域幅及び中心周波数であるがそれらに限定されない判定された周波数帯域の最大周波数を導出する際に使用するパラメータによりアドレス指定されてもよい。制御ユニット７０は、ＬＵＴから適切なパラメータ設定を検索し且つ検索されたパラメータ値を利用してフィルタ６０の周波数応答を適応させるように構成されてもよい。ＬＵＴに格納される適切なパラメータ値は、例えばコンピュータシミュレーションにより判定されてもよい。いくつかの実施形態において、同一のＬＵＴは、デルタ−シグマＡＤＣの雑音伝達関数及びフィルタ６０の周波数応答に対する適切なパラメータ設定を格納するために使用される。
【００５７】
デルタ−シグマＡＤＣの雑音伝達関数及びフィルタ６０の周波数応答等のアナログ／デジタル変換ユニット４０の周波数特性又はそのいずれかを適応させるためにアナログ／デジタル変換ユニット４０の設定が変更される場合、信号遷移が起こる可能性がある。そのような信号遷移は、信号品質を低下させるだろう。ＯＦＤＭシステムにおいて、シンボル間干渉を低減するために、サイクリックプレフィックスが各ＯＦＤＭシンボルに追加される。例えば、ＯＦＤＭシンボルの終了部分（時間領域における）の一部は、複製され且つＯＦＤＭシンボルの開始部分に挿入されてもよい。従って、ガードインターバルはＯＦＤＭシンボル間で得られ、それにより、例えばマルチパス信号伝播に起因する連続したＯＦＤＭシンボル間の干渉が低減される。いくつかの実施形態によると、アナログ／デジタル変換ユニット４０の設定に対する変更は、ＯＦＤＭシンボルのサイクリックプレフィックスの間等のガードインターバルの間に適用される。これにより、変更された設定により起こる遷移はフェードアウトし、受信信号の品質を著しく低下させることはなくなる。
【００５８】
本発明のいくつかの実施形態によると、無線受信機回路１０（図３）を動作させる方法が提供される。方法は、例えば制御ユニット７０（図３）により実行されてもよい。図８は、方法の一実施形態を示すフローチャートである。ステップ５１０において、制御データが受信される。更にステップ５２０において、データが次の時間間隔中に無線受信機回路１０に送信される際の周波数帯域は制御データに基づいて判定される。更にステップ５３０において、アナログ／デジタル変換ユニット４０の少なくとも１つの周波数特性は、前記次の時間間隔において無線受信機回路に送信された前記データを受信するために判定された周波数帯域に適応される。
【００５９】
上述したように、無線受信機回路１０は、例えばＬＴＥ通信チャネルであるがそれに限定されないＯＦＤＭ通信チャネルを介してデータを受信するように構成されてもよい。制御データは、連続したＯＦＤＭシンボルのシーケンスの１つ以上の初期ＯＦＤＭシンボルに含まれてもよい。次の時間間隔は、前記１つ以上の初期ＯＦＤＭシンボルに後続する連続したＯＦＤＭシンボルのシーケンスの１つのＯＦＤＭシンボルに対応する時間間隔であってもよい。データが無線受信機回路１０に送信される際の周波数帯域は、ＯＦＤＭシンボル内の周波数帯域であってもよい。そのようなＯＦＤＭの例において、制御データを受信するステップ５１０は、アナログ／デジタル変換ユニット４０の少なくとも１つの周波数特性をＯＦＤＭシンボル全体を範囲に含む周波数帯域でデータを受信し易くするデフォルト設定に設定することを含んでもよい。更に、アナログ／デジタル変換ユニット４０の少なくとも１つの周波数特性を適応させるステップ５３０は、少なくとも１つの周波数特性をデフォルト設定と比較して無線受信機回路１０の低減された電力損失で判定された周波数帯域でデータを受信し易くする設定に設定することを含んでもよい。
【００６０】
図９は、例えばＬＴＥにおいて採用されてもよい方法の一実施形態を示すフローチャートである。方法はステップ６００で開始される。ステップ６１０において、アナログ／デジタル変換ユニット４０は、デフォルト設定に設定される。デフォルト設定は、ＯＦＤＭシンボル全体を範囲に含む周波数帯域でデータを受信し易くする。ステップ６２０において、新しい各サブフレームＳ０〜Ｓ９の受信が開始される。ステップ６３０において、各サブフレームＳ０〜Ｓ９の第１のＯＦＤＭシンボルに含まれた制御データが復号化される。ステップ６４０において、無線受信機回路１０が含まれる移動端末に割り当てられるリソースブロックは、制御データから判定される。これにより、各サブフレームＳ０〜Ｓ９のＯＦＤＭシンボルにおいてデータが無線受信機回路１０に送信される際の周波数帯域が判定される。ステップ６５０において、アナログ／デジタル変換ユニット４０の少なくとも１つの周波数特性は、後続するＯＦＤＭシンボルにおいてデータが無線受信機回路１０に送信される際の周波数帯域に適応される。上述したように、例えばサイクリックプレフィックスの間に適応が行われてもよい。ステップ６６０において、サブフレームの終了部分に到達し且つ新しいサブフレームが受信されるかがチェックされる。ステップ６６０における回答がｙｅｓである場合、ステップ６１０に戻り、後続のサブフレームの制御データを受信し易くするために、アナログ／デジタル変換ユニット４０はデフォルト設定に設定される。ステップ６６０における回答がｎｏである場合、ステップ６５０に戻り、アナログ／デジタル変換ユニット４０の少なくとも１つの周波数特性は、例えば前記後続するＯＦＤＭシンボルのサイクリックプレフィックスの間に後続するＯＦＤＭシンボルに対して適応される。ステップ６５０で前記後続するＯＦＤＭシンボルに対して少なくとも１つの周波数応答を適応させることは、例えば、データが以前と同一の周波数帯域で移動端末に送信される場合にアナログ／デジタル変換ユニット４０のパラメータ設定を変更しないことを含んでもよい。従って、アナログ／デジタル変換ユニット４０のパラメータ設定は、必ずしもステップ６５０が実行される度に変更される必要はない。例えば２つ以上の連続したＯＦＤＭシンボルに対して移動端末へのデータ送信に同一のサブキャリアが使用される場合、前記２つ以上の連続したＯＦＤＭシンボルの間、同一のパラメータ設定が使用されてもよい。
【００６１】
上述したように、ＡＤＣ５０は、例えばデルタ−シグマＡＤＣである量子化雑音整形ＡＤＣとして実現されてもよい。ステップ５３０（図８）及びステップ６５０（図９）は、例えば図４、図５ａ及び図５ｂにおいて説明したように、量子化雑音整形ＡＤＣの雑音伝達関数を判定された周波数帯域に適応させることを含んでもよい。
【００６２】
更に又はその代わりに、ステップ５３０（図８）及びステップ６５０（図９）は、例えば図６及び図７ａ〜図７ｃにおいて説明したように、フィルタ６０の周波数応答を判定された周波数帯域に適応させることを含んでもよい。
【００６３】
制御ユニット７０又はその一部は、デジタルベースバンド回路ＤＢＢ（不図示）に含まれてもよい。あるいは、制御ユニット７０は、デジタルベースバンド回路とは別個のユニットであってもよい。制御ユニット７０又はその一部は、専用の特定用途向けハードウェアユニットとして実現されてもよい。あるいは又はそれに加えて、制御ユニット７０又はその一部は、制御ユニット７０の機能を実行するようにプログラムされたか且つ構成された、又はそのいずれかである１つ以上のマイクロプロセッサ、マイクロコントローラ又はフィールドプログラマブルゲートアレイ（ＦＰＧＡ）等の１つ以上のプログラマブルハードウェアユニットにより実現されてもよい。従って、本発明の実施形態は、本明細書で説明した方法及び機能の実現を可能にするコンピュータプログラムに埋め込まれてもよい。本発明の前記実施形態は、コンピュータプログラムがコンピュータ機能を有するシステムにロードされ且つ実行された時に実行されてもよい。本発明において、コンピュータプログラム、ソフトウェアプログラム、プログラム製品又はソフトウェアは、処理機能を有するシステムに特定の機能を直接実行させるか、あるいは別の言語、コード又は表記法への変換後に実行させることを意図した命令の集合のあらゆるプログラミング言語、コード又は表記法でのあらゆる表現を示す。
【００６４】
無線受信機回路１０が通信チャネルの現在の利用に対して動的に適応され（例えば、信号帯域幅及びビットレート又はそのいずれかに関して）、それにより電力損失が低減され易くなることは、本発明の実施形態の利点である。
【００６５】
特定の実施形態を参照して本発明を説明した。しかし、本発明の範囲内で上述以外の実施形態も可能である。ハードウェア又はソフトウェアにより方法を実行する上述とは異なる方法ステップが本発明の範囲内で提供されてもよい。本発明の種々の特徴及びステップは、上述以外の組合せで組み合わされてもよい。本発明の範囲は、添付の請求の範囲によってのみ限定される。
【図１】
0005480886.tif 000002
【図２】
0005480886.tif 000003
【図３】
0005480886.tif 000004
【図４】
0005480886.tif 000005
【図５ａ】
0005480886.tif 000006
【図５ｂ】
0005480886.tif 000007
【図６】
0005480886.tif 000008
【図７ａ】
0005480886.tif 000009
【図７ｂ】
0005480886.tif 000010
【図７ｃ】
0005480886.tif 000011
【図８】
0005480886.tif 000012
【図９】
0005480886.tif 000013